(57)【要約】  本出願は、無線通信システムにおいて制御チャネルを検出するための方法および装置を提供する。無線通信デバイスにおいて制御チャネルを検出するための例示的な方法は、制御領域の持続時間を取得することを含み得る。当該方法は、制御リソースセットが当該持続時間内にあるかどうかを判定することも含み得る。第１の制御リソースセットが当該持続時間内にあると判定したことに応じて、当該方法は、制御リソースセットで制御チャネルを検出することも含み得る。
2020519114.tif 000002
【特許請求の範囲】
【請求項１】
無線通信デバイスのための方法であって、
制御領域の持続時間を取得することと、
第１の制御リソースセットが前記持続時間内にあるかどうかを判定することと、及び、
前記第１の制御リソースセットが前記持続時間内にあると判定したことに応じて、前記第１の制御リソースセット内で制御チャネルを検出することとを含む、前記無線通信デバイスのための方法。
【請求項２】
前記第１の制御リソースセットは、ユーザデバイスが前記ユーザデバイスの制御チャネルを検出するために用いられるように構成される、
請求項１に記載の方法。
【請求項３】
前記第１の制御リソースセットが前記持続時間内にないと判定したことに応じて、前記第１の制御リソースセット内で制御チャネルを検出しないことをさらに含む、
請求項１に記載の方法。
【請求項４】
前記第１の制御リソースセットが前記持続時間内に部分的にあると判定したことに応じて、前記第１の制御リソースセット内で制御チャネルを検出することをさらに含む、
請求項１に記載の方法。
【請求項５】
前記第１の制御リソースセットが前記持続時間内に部分的にあると判定したことに応じて、前記第１の制御リソースセット内で制御チャネルを検出しないことをさらに含む、
請求項１に記載の方法。
【請求項６】
前記制御領域の持続時間を取得することは、
タイムスロットまたはスケジューリング時刻の第１のシンボルで、前記制御領域の持続時間を受信すること、
前記制御領域の持続時間を周期的に受信すること、
前記制御領域の持続時間を準静的に受信すること、
デフォルトの持続時間に基づいて、前記制御領域の持続時間を取得すること、
以前の持続時間を使用して前記制御領域の持続時間を取得すること、
セルの制御領域全体に基づいて、前記制御領域の持続時間を取得すること、または
上記のいずれの組み合わせを含む、
請求項１に記載の方法。
【請求項７】
前記第１の制御リソースセットは、１つ以上のシンボルで構成される、
請求項１に記載の方法。
【請求項８】
第２の制御リソースセットが前記持続時間内にあるかどうかを判定することと、及び、
前記第２の制御リソースセットが前記持続時間内にあると判定したことに応じて、前記第２の制御リソースセットで制御チャネルを検出することをさらに含む、
請求項１に記載の方法。
【請求項９】
前記第２の制御リソースセットは、前記ユーザデバイスが前記ユーザデバイスの制御チャネルを検出するために用いられるように構成される、
請求項８に記載の方法。
【請求項１０】
前記第１の制御リソースセットは、１つ以上のシンボルで構成され、また、
前記第２の制御リソースセットは、１つ以上のシンボルで構成される、
請求項８に記載の方法。
【請求項１１】
前記第１の制御リソースセット及び前記第２の制御リソースセットは、少なくとも１つの共有シンボルで構成される、
請求項１０に記載の方法。
【請求項１２】
前記第１の制御リソースセットは、第１のビームで伝送され、また、
前記第２の制御リソースセットは、第２のビームで伝送される、
請求項８に記載の方法。
【請求項１３】
前記第１の制御リソースセットは、複数のリソース要素（ＲＥ）を含み、また、
周波数優先マッピング、時間優先マッピングまたはそれらの組み合わせに従って、ＲＥの少なくとも一部で制御チャネルを送信する、
請求項１に記載の方法。
【請求項１４】
前記第１の制御リソースセットで前記制御チャネルを検出することは、前記制御チャネルがＲＥのどの部分で送信されるかを検出することを含む、
請求項１２に記載の方法。
【請求項１５】
無線通信装置のための方法であって、
制御領域の持続時間を送信することと、
第１の制御リソースセットが前記持続時間内にあるかどうかを判定することと、及び、
前記第１の制御リソースセットが前記持続時間内にあると判定したことに応じて、前記第１の制御リソースセットで制御チャネルを送信することを含む、前記方法。
【請求項１６】
前記第１の制御リソースセットは、ユーザデバイスが前記ユーザデバイスの制御チャネルを検出するために用いられるように構成される、
請求項１５に記載の方法。
【請求項１７】
前記第１の制御リソースセットが前記持続時間内にないと判定したことに応じて、前記第１の制御リソースセットで制御チャネルを送信しないことをさらに含む、
請求項１５に記載の方法。
【請求項１８】
前記第１の制御リソースセットが前記持続時間内に部分的にあると判定したことに応じて、前記第１の制御リソースセットｎの中で制御チャネルを送信することをさらに含む、
請求項１５に記載の方法。
【請求項１９】
前記第１の制御リソースセットが前記持続時間内に部分的にあると判定したことに応じて、前記第１の制御リソースセットで制御チャネルを送信しないことをさらに含む、
請求項１５に記載の方法。
【請求項２０】
前記制御チャネルの持続時間を送信することは、
タイムスロットまたはスケジューリング時刻の第１のシンボルで、前記制御領域の持続時間を送信すること、
前記制御領域の持続時間を周期的に送信すること、
前記制御領域の持続時間を準静的に送信すること、
セルの制御領域全体のサイズを送信すること、または
上記のいずれの組み合わせを含む、
請求項１５に記載の方法。
【請求項２１】
前記第１の制御リソースセットは、１つ以上のシンボルで構成される、
請求項１５に記載の方法。
【請求項２２】
第２の制御リソースセットが前記持続時間内にあるかどうかを判定することと、及び、
前記第２の制御リソースセットが前記持続時間内にあると判定したことに応じて、前記第２の制御リソースセットで制御チャネルを送信することとをさらに含む、
請求項１５に記載の方法。
【請求項２３】
前記第２の制御リソースセットは、前記ユーザデバイスが前記ユーザデバイスの制御チャネルを検出するために用いられるように構成される、
請求項２２に記載の方法。
【請求項２４】
１つ以上のシンボルで前記第１の制御リソースセットを構成することと、及び、
１つ以上のシンボルで前記第２の制御リソースセットを構成することをさらに含む、
請求項２２に記載の方法。
【請求項２５】
前記第１の制御リソースセット及び前記第２の制御リソースセットは、少なくとも１つの共有シンボルで構成される、
請求項２４に記載の方法。
【請求項２６】
前記第１の制御リソースセットは、第１のビームで伝送され、また、
前記第２の制御リソースセットは、第２のビームで伝送される、
請求項２２に記載の方法。
【請求項２７】
前記第１の制御リソースセットは、複数のリソース要素（ＲＥ）を含み、また、
前記第１の制御リソースセットで制御チャネルを送信することは、周波数優先マッピング、時間優先マッピングまたはそれらの組み合わせに従って、ＲＥの少なくとも一部で制御チャネルを送信する、
請求項１５に記載の方法。
【請求項２８】
ユーザデバイスであって、
命令が記憶されたメモリと、及び、
メモリに通信可能に結合されたプロセッサとを含み、
ここで、前記命令は、前記プロセッサによって実行されると、
制御領域の持続時間を取得することと、
第１の制御リソースセットが前記持続時間内にあるかどうかを判定することと、及び、
前記第１の制御リソースセットが前記持続時間内にあると判定したことに応じて、前記第１の制御リソースセット内で制御チャネルを検出することとを含む操作をプロセッサに実行させる、前記ユーザデバイス。
【請求項２９】
前記第１の制御リソースセットは、前記ユーザデバイスが前記ユーザデバイスの制御チャネルを検出するために用いられるように構成される、
請求項２８に記載のユーザデバイス。
【請求項３０】
前記プロセッサによって実行される操作は、
前記第１の制御リソースセットが前記持続時間内にないと判定したことに応じて、前記第１の制御リソースセット内で制御チャネルを検出しないことをさらに含む、
請求項２８に記載のユーザデバイス。
【請求項３１】
前記プロセッサによって実行される操作は、
前記第１の制御リソースセットが前記持続時間内に部分的にあると判定したことに応じて、前記第１の制御リソースセット内で制御チャネルを検出することをさらに含む、
請求項２８に記載のユーザデバイス。
【請求項３２】
前記プロセッサによって実行される操作は、
前記第１の制御リソースセットが前記持続時間内に部分的にあると判定したことに応じて、前記第１の制御リソースセット内で制御チャネルを検出しないことをさらに含む、
請求項２８に記載のユーザデバイス。
【請求項３３】
前記制御領域の持続時間を取得することは、
タイムスロットまたはスケジューリング時刻の第１のシンボルで、前記制御領域の持続時間を受信すること、
前記制御領域の持続時間を周期的に受信すること、
前記制御領域の持続時間を準静的に受信すること、
デフォルトの持続時間に基づいて、前記制御領域の持続時間を取得すること、
以前の持続時間を使用して前記制御領域の持続時間を取得すること、
セルの制御領域全体に基づいて、前記制御領域の持続時間を取得すること、または
上記のいずれの組み合わせを含む、
請求項２８に記載のユーザデバイス。
【請求項３４】
前記第１の制御リソースセットは、１つ以上のシンボルで構成される、
請求項２８に記載のユーザデバイス。
【請求項３５】
前記プロセッサによって実行される操作は、
第２の制御リソースセットが前記持続時間内にあるかどうかを判定することと、及び、
前記第２の制御リソースセットが前記持続時間内にあると判定したことに応じて、前記第２の制御リソースセットで制御チャネルを検出することとをさらに含む、
請求項２８に記載のユーザデバイス。
【請求項３６】
前記第２の制御リソースセットは、前記ユーザデバイスが前記ユーザデバイスの制御チャネルを検出するために用いられるように構成される、
請求項３５に記載のユーザデバイス。
【請求項３７】
前記第１の制御リソースセットは、１つ以上のシンボルで構成される、また、
前記第２の制御リソースセットは、１つ以上のシンボルで構成される、
請求項３５に記載のユーザデバイス。
【請求項３８】
前記第１の制御リソースセット及び前記第２の制御リソースセットは、少なくとも１つの共有シンボルで構成される、
請求項３７に記載のユーザデバイス。
【請求項３９】
前記第１の制御リソースセットは、第１のビームで伝送され、また、
前記第２の制御リソースセットは、第２のビームで伝送される、
請求項３５に記載のユーザデバイス。
【請求項４０】
前記第１の制御リソースセットは、複数のリソース要素（ＲＥ）を含み、また、
周波数優先マッピング、時間優先マッピングまたはそれらの組み合わせに従って、ＲＥの少なくとも一部で制御チャネルを送信する、
請求項２８に記載のユーザデバイス。
【請求項４１】
前記第１の制御リソースセット内で制御チャネルを検出することは、前記制御チャネルがＲＥのどの部分で送信されるかを検出することを含む、
請求項３９に記載のユーザデバイス。
【請求項４２】
ネットワーク装置であって、
命令が記憶されたメモリと、及び、
メモリに通信可能に結合されたプロセッサとを含み、
ここで、前記命令は、前記プロセッサによって実行されると、
制御領域の持続時間を送信することと、
第１の制御リソースセットが前記持続時間内にあるかどうかを判定することと、及び、
前記第１の制御リソースセットが前記持続時間内にあると判定したことに応じて、前記第１の制御リソースセットで制御チャネルを送信することとを含む操作をプロセッサに実行させる、前記ネットワーク装置。
【請求項４３】
前記第１の制御リソースセットは、ユーザデバイスが前記ユーザデバイスの制御チャネルを検出するために用いられるように構成される、
請求項４２に記載のネットワーク装置。
【請求項４４】
前記プロセッサによって実行される操作は、
前記第１の制御リソースセットが前記持続時間内にないと判定したことに応じて、前記第１の制御リソースセットで制御チャネルを送信しないことをさらに含む、
請求項４２に記載のネットワーク装置。
【請求項４５】
前記プロセッサによって実行される操作は、
前記第１の制御リソースセットが前記持続時間内に部分的にあると判定したことに応じて、前記第１の制御リソースセットｎ中の制御チャネルを送信することをさらに含む、
請求項４２に記載のネットワーク装置。
【請求項４６】
前記プロセッサによって実行される操作は、
前記第１の制御リソースセットが前記持続時間内に部分的にあると判定したことに応じて、前記第１の制御リソースセットで制御チャネルを送信しないことをさらに含む、
請求項４２に記載のネットワーク装置。
【請求項４７】
前記制御チャネルの持続時間を送信することは、
タイムスロットまたはスケジューリング時刻の第１のシンボルで、前記制御領域の持続時間を送信すること、
前記制御領域の持続時間を周期的に送信すること、
前記制御領域の持続時間を準静的に送信すること、
セルの制御領域全体のサイズを送信すること、または、
上記のいずれの組み合わせを含む、
請求項４２に記載のネットワーク装置。
【請求項４８】
前記第１の制御リソースセットは、１つ以上のシンボルで構成される、
請求項４２に記載のネットワーク装置。
【請求項４９】
前記プロセッサによって実行される操作は、
第２の制御リソースセットが前記持続時間内にあるかどうかを判定することと、及び、
前記第２の制御リソースセットが前記持続時間内にあると判定したことに応じて、前記第２の制御リソースセットで制御チャネルを送信することとをさらに含む、
請求項４２に記載のネットワーク装置。
【請求項５０】
前記第２の制御リソースセットは、前記ユーザデバイスが前記ユーザデバイスの制御チャネルを検出するために用いられるように構成される、
請求項４９に記載のネットワーク装置。
【請求項５１】
前記プロセッサによって実行される操作は、
１つ以上のシンボルで前記第１の制御リソースセットを構成することと、及び、
１つ以上のシンボルで前記第２の制御リソースセットを構成することとをさらに含む、
請求項４９に記載のネットワーク装置。
【請求項５２】
前記第１の制御リソースセット及び前記第２の制御リソースセットは、少なくとも１つの共有シンボルで構成される、
請求項５１に記載のネットワーク装置。
【請求項５３】
前記第１の制御リソースセットは、第１のビームで伝送され、また、
前記第２の制御リソースセットは、第２のビームで伝送される、
請求項４９に記載のネットワーク装置。
【請求項５４】
前記第１の制御リソースセットは、複数のリソース要素（ＲＥ）を含み、また、
前記第１の制御リソースセットで制御チャネルを送信することは、周波数優先マッピング、時間優先マッピングまたはそれらの組み合わせに従ってＲＥの少なくとも一部で制御チャネルを送信することを含む、
請求項４２に記載のネットワーク装置。
【請求項５５】
無線通信装置のための方法を実行するために、装置の１つ以上のプロセッサによって実行可能な命令が記憶された非一時的なコンピュータ読み取り可能な媒体であって、前記方法は、
前記制御領域の持続時間を取得することと、
第１の制御リソースセットが前記持続時間内にあるかどうかを判定することと、及び、
前記第１の制御リソースセットが前記持続時間内にあると判定したことに応じて、前記第１の制御リソースセット内で制御チャネルを検出することとを含む、前記非一時的なコンピュータ読み取り可能な媒体。
【請求項５６】
無線通信装置のための方法を実行するために、装置の１つ以上のプロセッサによって実行可能な命令が記憶された非一時的なコンピュータ読み取り可能な媒体であって、前記方法は、
制御領域の持続時間を送信することと、
第１の制御リソースセットが前記持続時間内にあるかどうかを判定することと、及び、
前記第１の制御リソースセットが前記持続時間内にあると判定したことに応じて、前記第１の制御リソースセットで制御チャネルを送信することとを含む、前記非一時的なコンピュータ読み取り可能な媒体。
【発明の詳細な説明】
【技術分野】
【０００１】
（関連出願の相互参照）
本願発明は、２０１７年５月２日に提出された米国仮出願Ｎｏ．６２／５００，１５１の優先権を主張し、当該出願のすべての内容は本明細書に組み込まれる。
【０００２】
本出願は、通信システムに関し、より詳しくは、無線通信システムにおいて制御チャネルを検出するための方法および装置に関する。
【背景技術】
【０００３】
ロングタームエボリューション（ＬＴＥ）システムにおいて、いくつかの直交周波数分割多重（ＯＦＤＭ）シンボルといくつかの周波数サブキャリアにまたがる制御領域が、物理ダウンリンク制御チャネル（ＰＤＣＣＨ）の伝送に割り当てられる。リソース要素は、１つのＯＦＤＭシンボル上の１つのサブキャリアをカバーする最小のリソース構造として定義される。複数のリソース要素によってリソース要素グループ（ＲＥＧ）を形成する。ＰＤＣＣＨは、１つ以上の制御チャネル要素（ＣＣＥ）によって搬送され、各制御チャネル要素は、複数のＲＥＧで構成され、ＲＥＧの数はペイロードのサイズとチャネル品質に依存する。時間と周波数のゲインを実現するために、異なるＰＤＣＣＨのＲＥＧは、制御領域全体でインターリーブされ、拡散される。ユーザデバイス（ＵＥ）は、どのＲＥＧが当該ＵＥ自身に対するＰＤＣＣＨ情報を搬送するかを知らない可能性があるため、ＵＥは、当該ＵＥ自身に対するＰＤＣＣＨを受信するためには、まず可能なＲＥＧをブラインドデコーディングしてから、当該サブフレームで当該ＵＥに対するユーザデータを受信する。ブラインドデコーディングは非常に複雑で、大量の演算が必要である。
【０００４】
第５世代（５Ｇ）の新しい無線システムなどの新しい無線システムにおいて、同様なチャネル構造をＰＤＣＣＨに適用することができる。新しい無線システムは、より高い周波数（例えば、６ＧＨｚ以上等）で配備されることができ、そして当該周波数でより広い帯域幅を獲得することができる。新しい無線システムにおいて、ビームフォーミング（ＢＦ）のようないくつかの新しい技術を使用することができる。新しい無線システムにおけるＰＤＣＣＨは、同様にＣＣＥで構成されることができ、各ＣＣＥには１セットのＲＥＧを含む。しかしながら、ＣＣＥまたはＲＥＧをＰＤＣＣＨの時間及び周波数の制御領域にマッピングすることは難しい場合がある。例えば、アナログＢＦでは、１つのビームで送信されるＰＤＣＣＨのすべてのＲＥＧは、１つのＯＦＤＭシンボル上に位置し、それに対して異なるビームで送信されるＰＤＣＣＨのＲＥＧは、異なるＯＦＤＭシンボル上に位置するように要求される可能性がある。ＵＥのＰＤＣＣＨブラインドデコーディングの複雑さを軽減するために、これらの新しい技術では、柔軟なＰＤＣＣＨ持続時間及びＣＣＥ、ＲＥＧとＰＤＣＣＨとの間のマッピングが必要である。
【発明の概要】
【課題を解決するための手段】
【０００５】
いくつかの態様において、本出願は、無線通信装置が制御チャネルを検出する方法に関する。当該方法は、制御領域の持続時間を取得することを含み得る。当該方法は、第１の制御リソースセットが当該持続時間内にあるかどうかを判定することも含み得る。第１の制御リソースセットが当該持続時間内にあると判定したことに応じて、当該方法は、第１の制御リソースセット内で制御チャネルを検出することをさらに含み得る。
【０００６】
いくつかの態様において、本出願は、無線通信装置のための方法に関する。当該方法は、制御領域の持続時間を送信することを含み得る。当該方法は、第１の制御リソースセットが当該持続時間内にあるかどうかを判定することも含み得る。第１の制御リソースセットが当該持続時間内にあると判定したことに応じて、当該方法は、第１の制御リソースセットで制御チャネルを送信することをさらに含み得る。
【０００７】
いくつかの態様において、本出願は、ユーザデバイスにも関する。ユーザデバイスには、命令を記憶するメモリを含み得る。ユーザデバイスは、メモリに通信可能に結合されたプロセッサも含み得る。前記命令は、プロセッサによって実行されるとき、制御領域の持続時間を取得することなど含む操作をプロセッサに実行させることができる。前記命令は、プロセッサによって実行されるとき、第１の制御リソースセットが持続時間内にあるかどうかを判定することを含む操作をプロセッサに実行させることができる。第１の制御リソースセットが期間内にあると判定したことに応じて、前記命令は、プロセッサによって実行されるとき、第１の制御リソースセット内で制御チャネルを検出することを含む操作をプロセッサにさらに実行させることができる。
【０００８】
いくつかの態様において、本出願は、ネットワーク装置にも関する。ネットワーク装置は、命令を記憶するメモリを含み得る。ネットワーク装置は、メモリに通信可能に結合されたプロセッサも含み得る。前記命令は、プロセッサによって実行されるとき、制御領域の持続時間を送信することを含む操作をプロセッサに実行させることができる。前記命令は、プロセッサによって実行されるとき、第１の制御リソースセットが持続時間内にあるかどうかを判定することを含む操作もプロセッサに実行させることができる。第１の制御リソースセットが当該持続時間内にあると判定したことに応じて、前記命令は、プロセッサによって実行されるとき、第１の制御リソースセットで制御チャネルを送信することを含む操作もプロセッサに実行させることができる。
【０００９】
いくつかの態様において、本出願は、無線通信装置のための方法を実行するために、装置の１つ以上のプロセッサによって実行可能な命令が記憶された非一時的なコンピュータ読み取り可能な媒体にも関する。当該方法は、制御領域の持続時間を取得することを含み得る。当該方法は、第１の制御リソースセットが当該持続時間内にあるかどうかを判定することも含むことができる。第１の制御リソースセットが当該持続時間内にあると判定したことに応じて、当該方法は、第１の制御リソースセット内で制御チャネルを検出することも含むことができる。
【００１０】
いくつかの態様において、本出願は、無線通信装置のための方法を実行するために、装置の１つ以上のプロセッサによって実行可能な命令が記憶された非一時的なコンピュータ読み取り可能な媒体も関する。当該方法は、制御領域の持続時間を送信することを含むことができる。当該方法は、第１の制御リソースセットが当該持続時間内にあるかどうかを判定することも含むことができる。第１の制御リソースセットが当該持続時間内にあると判定したことに応じて、当該方法は、第１の制御リソースセットで制御チャネルを送信することも含むことができる。
【００１１】
前述の一般的な説明及び以下の詳細な説明は、単なる例示及び説明であり、本発明の保護請求に対して限定するものではないことを理解されたい。
【図面の簡単な説明】
【００１２】
【図１】本出願のある実施例に係る無線通信システムの例示的なシナリオを示した。
【図２】本出願のある実施例に係る無線通信システムにおける例示的な制御チャネル構成の模式図である。
【図３】本出願のある実施例に係る無線通信システムにおける例示的な制御チャネル構成の模式図である。
【図４】本出願のある実施例に係る無線通信システムにおける例示的な制御チャネル構成の模式図である。
【図５】本出願のある実施例に係る無線通信システムにおいて制御チャネルを検出するための例示的な方法の模式図である。
【図６】本出願のある実施例に係る無線通信システムにおいて制御チャネルを送信するための例示的なネットワーク装置の模式図である。
【図７】本出願のある実施例に係る無線通信システムにおいて制御チャネルを検出するための例示的なユーザデバイスの模式図である。
【図８】本出願のある実施例に係る無線通信システムにおいて制御チャネルを送信するための例示的なネットワーク装置の模式図である。
【発明を実施するための形態】
【００１３】
ここで、例示的な実施例を詳しく参照し、そのインスタンスは図面に示す。以下の説明は図面を参照して、特に明記しない限り、異なる図面中の同じ数字は同じまたは類似の要素を表す。以下の例示的な実施例の説明で記述される実現方法は、本発明と一致するすべての実現方法を表すものではない。逆に、それらは、添付の特許請求の範囲に記載される本発明に関連する態様と一致する装置及び方法の単なるインスタンスである。
【００１４】
図１は、本出願の実施例に係る無線通信システムの例示的なシナリオを示した。無線通信システムは、基地局１２０、ユーザデバイス１４０及び別のユーザデバイス１６０を含むことができる。基地局１２０は、無線通信ネットワークのエンドノードである。例えば、基地局１２０は、ＬＴＥシステムの進化型ノードＢ（ｅＮＢ）または５Ｇの新しい無線システムのｇＮＢであり得る。基地局１２０は、無線通信システムのシステム情報を搬送する無線信号を送信することができる。基地局１２０のカバレッジエリア１８０内のユーザデバイスは、システム情報を受信することができる。例えば、カバレッジエリア１８０内のユーザデバイス１４０はシステム情報を受信し、また基地局１２０を介してネットワークサービスにアクセスすることができる。
【００１５】
ユーザデバイス１４０は無線通信ネットワーク中の移動端末である。例えば、ユーザデバイス１４０は、スマートフォン、ネットワークインターフェースカード、またはマシンタイプの端末であり得る。別のインスタンスとして、ユーザデバイス１４０は、ＬＴＥシステムまたは５Ｇの新しい無線システムにおけるユーザデバイスであり得る。ユーザデバイス１４０及び基地局１２０の両方とも無線信号を送受信することができる通信ユニットを含む。
【００１６】
ユーザデバイス１４０が基地局１２０を介してネットワークサービスにアクセスしようとするとき、同期及び無線リソース割り当て及びスケジューリングなどのようなシステム情報をカバレッジエリア１８０内で収集するために、ユーザデバイス１４０は、基地局１２０から制御信号を受信する必要がある場合がある。例えば、５Ｇの新しい無線システムにおけるユーザデバイス１４０は、物理ダウンリンク共有チャネルにユーザデバイス１４０へのデータがあるかどうかを調べるために、ＰＤＣＣＨを受信する必要がある場合もある。従って、ユーザデバイス１４０は、基地局１２０によって送信された信号中のＰＤＣＣＨを検出する必要がある。
【００１７】
図２は、本出願の実施例に係る無線通信システムにおける例示的な制御チャネル構成の模式図である。例えば、５Ｇの新しい無線システムは、ＯＦＤＭ波形を使用して無線通信を行う。既存のＬＴＥセルラーネットワークにおいて、タイムフレームで通信を測定し、各フレームは複数のタイムスロット（ｔｉｍｅ  ｓｌｏｔ）に分割され、また各タイムスロットは複数のＯＦＤＭシンボルを含むことができ、各ＯＦＤＭシンボルは複数の周波数サブキャリアにまたがる。リソースは、時間（ＯＦＤＭシンボル）と周波数（サブキャリア）によって定義される。
【００１８】
ＰＤＣＣＨサーチスペースは１セットのリソースであり、ユーザデバイス（例えば、１４０）が、仮に当該セットのリソースにおいてそれのＰＤＣＣＨ候補を搬送していると想定し、そして制御情報を取得するためにサーチとデコードを試みることができる。一般性を失うことなく、ユーザデバイスにとって、ＰＤＣＣＨを送信するように構成されるリソースのインスタンス（またはユーザデバイスがそのＰＤＣＣＨを監視するように構成されるインスタンス）は、以下はスケジューリング（またはＰＤＣＣＨ）インスタンスと称する。ユーザデバイス１４０は、そのサーチスペース中のすべてのＰＤＣＣＨインスタンスに対してブラインドデコーディングを行い、そのＰＤＣＣＨ候補を正常に復号するまで、実施することができる。一旦、ＰＤＣＣＨが正常に復号化されると、ユーザデバイス１４０は、物理ダウンリンク共有チャネル（ＰＤＳＣＨ）などのデータチャネル上で基地局から送信されたデータを受信及び復号し続ける。ユーザデバイス１４０がそのサーチスペースでＰＤＣＣＨの復号ができていない場合、ユーザデバイス１４０は、当該スケジューリングインスタンスのどころでＰＤＣＣＨが送信されていないと受け取り、そのＰＤＳＣＨを復号しないようにすることができる。
【００１９】
柔軟にＰＤＣＣＨを送信することができ、ここで、ＣＯＲＥＳＥＴがシンボルレベル、タイムスロットレベルまたはマルチタイムスロットレベルで構成されることができる。本開示の実施例と同様に、制御リソースセット（ＣＯＲＥＳＥＴ）は、ユーザデバイス１４０のＰＤＣＣＨとして定義されることができ、サーチスペースは、ユーザデバイス固有であり、位置決定されることができ、異なるユーザデバイスのサーチスペースは異なってもよい。例えば、図２に示されたように、基地局１２０は、システムの２つのビーム２１０及び３２０を使用してＰＤＣＣＨを送信することができる。各ビームは、異なるＯＦＤＭシンボルを搬送することができる。例えば、ビーム２１０はＯＦＤＭシンボル２３１を搬送し、ビーム２２０はＯＦＤＭシンボル２３２を搬送する。従って、基地局１２０は、ＯＦＤＭシンボル２３１において、ビーム２１０を受信するユーザデバイスにＰＤＣＣＨ  ＣＯＲＥＳＥＴ  ２６１を配置し、またＯＦＤＭシンボル２３２において、ビーム２２０を受信するユーザデバイスにＰＤＣＣＨ  ＣＯＲＥＳＥＴ  ２６２を配置することができる。ＰＤＣＣＨ  ＣＯＲＥＳＥＴ  ２６１は、ＰＤＣＣＨ候補２４１及び２４２を含むことができる。ＰＤＣＣＨ  ＣＯＲＥＳＥＴ  ２６２は、ＰＤＣＣＨ候補２５１及び２５２を含むことができる。ビーム２１０及び２２０を受信するユーザデバイスは、ＰＤＣＣＨ候補２４１/２４２及び２５１/２５２の復号化をそれぞれ試みる。
【００２０】
図３は、本出願の実施例に係る無線通信システムにおける例示的な制御チャネル構成の模式図である。図に示されたように、基地局１２０は、１つのＯＦＤＭシンボル３３１上のＰＤＣＣＨ  ＣＯＲＥＳＥＴ  ３６１と、２つのＯＦＤＭシンボル３３２及び３３３上のＰＤＣＣＨ  ＣＯＲＥＳＥＴ  ３６２との２つのＣＯＲＥＳＥＴを構成することができる。ＰＤＣＣＨ  ＣＯＲＥＳＥＴ  ３６１は、ＰＤＣＣＨ候補３４１を含む。ＰＤＣＣＨ  ＣＯＲＥＳＥＴ  ３６２は、２つのＰＤＣＣＨ  ＣＯＲＥＳＥＴ  ３５１及び３５２を含む。
【００２１】
ＣＯＲＥＳＥＴは、複数のＣＣＥ（従って、複数のＲＥＧ）を含むことができる。例えば、図３において、ＰＤＣＣＨ  ＣＯＲＥＳＥＴ  ３６２はＰＤＣＣＨ候補３５１及び３５２を含むことができる。ＰＤＣＣＨ候補３５１はＣＣＥ  ３１２を搬送するために使用され得、ＰＤＣＣＨ候補３５２は別のＣＣＥを搬送するために使用され得る。従って、ＰＤＣＣＨ  ＣＯＲＥＳＥＴ  ３６２は少なくとも２つのＣＣＥを含むことができ、ＰＤＣＣＨ候補３５１は４つのＲＥＧを含むことができ、ＰＤＣＣＨ候補３５２は別の４つのＲＥＧを含むことができる。従って、ＰＤＣＣＨ  ＣＯＲＥＳＥＴ  ３６２は少なくとも８つのＲＥＧを含むことができる。ＰＤＣＣＨサーチスペースはＰＤＣＣＨ候補３５１、ＰＤＣＣＨ候補３５２またはその両方に位置することができる。
【００２２】
ＰＤＣＣＨ  ＣＯＲＥＳＥＴ  ３６２が２つのＯＦＤＭシンボルを占める場合、各ＣＣＥ（可能であれば）が、まず時間領域で（即ち、複数のＯＦＤＭシンボルにまたがる）、次に周波数領域で（即ち、サブキャリアにまたがる）ＲＥＧにマッピングされるように、基地局１２０は、時間優先のＣＣＥからＲＥＧへのマッピングでＣＯＲＥＳＥＴを構成し得る。図３に示されたように、ＰＤＣＣＨ候補３５１は最初に時間領域にマッピングされてから、周波数領域にマッピングされる。ＣＣＥ  ３１２のＲＥＧ＃１、＃２、＃３及び＃４は最初にＯＦＤＭシンボル３３２及び３３３にまたがってＰＤＣＣＨ候補３５１の４つのＲＥＧにマッピングされ、次に周波数領域中の次の位置にマッピングされる。
【００２３】
任意選択に、基地局１２０は、各ＣＣＥ（可能であれば）がまず周波数領域で（即ち、サブキャリアにまたがる）、次に時間領域でＲＥＧ（即ち、ＯＦＤＭシンボルにまたがる）にマッピングされるように、周波数優先のＣＣＥからＲＥＧへのマッピングを使用して、ＣＯＲＥＳＥＴを構成し得る。図３に示されたように、ＰＤＣＣＨ候補３５２は最初に時間領域でマッピングされ、次に周波数領域でマッピングされる。
【００２４】
図２及び図３は、ユーザデバイスが基地局によって１つのＣＯＲＥＳＥＴを構成することを示した。任意選択に、ユーザデバイスが複数のＰＤＣＣＨ  ＣＯＲＥＳＥＴを構成する場合もある。インスタンスとして、図４には、別の例示的な制御チャネル構成の模式図を示し、基地局１２０はＯＦＤＭシンボル４３２でユーザデバイス１６０に対して１つのＰＤＣＣＨ  ＣＯＲＥＳＥＴ  ４６２を構成するが、ＯＦＤＭシンボル４３１及び４３３でユーザデバイス１４０に対して２つのＰＤＣＣＨ  ＣＯＲＥＳＥＴ  ４６１及び４６３を構成してもよい。
【００２５】
基地局は、動的または準静的にＣＯＲＥＳＥＴを構成することができる。例えば、ユーザデバイスの能力低い場合、基地局は１つのＣＯＲＥＳＥＴのみを構成するが、そうでない場合、基地局は、ユーザデバイスに対して複数のＣＯＲＥＳＥＴを構成することができる。複数のＯＦＤＭシンボルで複数のＣＯＲＥＳＥＴを構成することができる場合でも、必ずしもすべてのＣＯＲＥＳＥＴを使用してＰＤＣＣＨを送信する必要がない。例えば、基地局は、図４に示されたように、セル中のすべてのユーザデバイスのＰＤＣＣＨ伝送のために３つのＣＯＲＥＳＥＴを構成することができる。いくつかのＰＤＣＣＨスケジューリングインスタンスにおいて、能力または他のスケジューリングの考慮事項のため、ＰＤＣＣＨ  ＣＯＲＥＳＥＴ  ４６３を使用しなくて、ＰＤＣＣＨ  ＣＯＲＥＳＥＴ  ４６１及び４６２（即ち、ＯＦＤＭシンボル４３１及び４３２）のみを使用することができる。一体どのＣＯＲＥＳＥＴが使用されたかを知らない場合、ユーザデバイスはＰＤＣＣＨ制御領域を監視し、すべての構成のＣＯＲＥＳＥＴでＰＤＣＣＨ候補をブラインドデコーディングする必要がある。任意選択に、基地局は、ユーザデバイスがどのＰＤＣＣＨ候補が復号化される必要があるかを知り、ブラインドデコーディングを必要としないように、ユーザデバイスに瞬時のＰＤＣＣＨ持続時間、即ち、ＰＤＣＣＨ伝送の持続時間を通知することができる。
【００２６】
瞬時のＰＤＣＣＨ持続時間は、ＰＤＣＣＨ伝送に使用されるＯＦＤＭシンボルの総数である。言い換えれば、基地局がＰＤＣＣＨスケジューリングインスタンスに使用されるすべてのＣＯＲＥＳＥＴ（構成されたものではないの）の持続時間の組み合わせである。例えば、すべての３つのＯＦＤＭシンボル、即ち、図４に示されたＰＤＣＣＨ  ＣＯＲＥＳＥＴ  ４６１、４６２及び４６３がＰＤＣＣＨスケジューリングインスタンスでのＰＤＣＣＨ伝送を特定するために使用されれば、ＯＦＤＭシンボルの瞬時数（またはＰＤＣＣＨ持続時間）は３であり、もし最初の２つのＯＦＤＭシンボル、即ち、図４に示されたＰＤＣＣＨ  ＣＯＲＥＳＥＴ  ４６１及び４６２のみがＰＤＣＣＨ伝送のために使用されれば、ＯＦＤＭシンボルの瞬時の総数（またはＰＤＣＣＨ持続時間）は２である。
【００２７】
いくつかの実施例において、基地局１２０は、信号で当該瞬時のＰＤＣＣＨ持続時間がスケジューリングインスタンスでそのＰＤＣＣＨのすべてのユーザデバイスを復号化するべきである。いくつかの実施例において、基地局１２０は、共有制御チャネルでの各スケジューリングインスタンスの前にＰＤＣＣＨ持続時間を動的に送信することができる。任意選択に、基地局１２０は、共有制御チャネルで特定持続時間内に、すべてのユーザデバイスに瞬時のＰＤＣＣＨ持続時間を周期的に送信することができる。いくつかの実施例において、基地局は、上位層シグナリングを介してユーザデバイスに準静的に送信することができる。後者の２つの場合、それらのユーザデバイスは、ＰＤＣＣＨを搬送するＯＦＤＭシンボルの数が次の信号を受信する前の持続時間内では変化しない想定することができる。
【００２８】
いくつかの実施例において、ユーザデバイスが基地局からＰＤＣＣＨ持続時間を受信しない場合、または受信した情報が不正確または期限切れであれば、ユーザデバイスのために構成したすべてのＣＯＲＥＳＥＴでそのＰＤＣＣＨ候補をサーチすることを選択することができる。
【００２９】
いくつかの実施例において、基地局１２０は、１セットのユーザデバイスに信号を送信してＰＤＣＣＨ持続時間を通知することができる。例えば、基地局１２０は、上述のようにセットの瞬時のＰＤＣＣＨ持続時間を送信することができる。上記のように、セット内のそれらのユーザデバイスは、セットの瞬時のＰＤＣＣＨ持続時間を受信することができる。いくつかの実施例において、もしセット内に、ユーザデバイスが基地局からＰＤＣＣＨ持続時間を受信しなかったり、または受信した情報は不正確または期限切れであれば、ユーザデバイスのために構成したすべてのＣＯＲＥＳＥＴでそのＰＤＣＣＨ候補をサーチすることを選択することができる。
【００３０】
いくつかの実施例において、基地局１２０は、１つのユーザデバイスに信号を送信してＰＤＣＣＨ持続時間を通知することができる。例えば、基地局１２０は、当該ユーザデバイスに専用する瞬時のＰＤＣＣＨ持続時間を送信することができる。当該ユーザデバイスはその瞬時のＰＤＣＣＨ持続時間を受信することができる。いくつかの実施例において、ユーザデバイスが基地局からそのＰＤＣＣＨ持続時間を受信しなかったり、または受信した情報が不正確または期限切れであれば、ユーザデバイスのために構成したすべてのＣＯＲＥＳＥＴでそのＰＤＣＣＨ候補をサーチすることを選択することができる。
【００３１】
基地局１２０は、準静的な方法で、上位層信号を介してユーザデバイスに信号を送信して、ＣＯＲＥＳＥＴ及びＰＤＣＣＨ候補の周波数割り当て及び持続時間を含むＰＤＣＣＨ構成を通知する。各ＣＯＲＥＳＥＴは、ユーザデバイスのＰＤＣＣＨ候補であるＣＣＥを含むことができ、そして、ユーザデバイスのサーチスペースであり得る。暗黙的/明示的な方法で、ユーザデバイスのサーチスペース（そのＰＤＣＣＨ候補を搬送することができるＣＣＥ）を判定することができる。ユーザデバイスは、その各ＣＯＲＥＳＥＴのサーチスペースで、そのＰＤＣＣＨ候補に対してブラインドデコーディングを行う。任意選択に、各サーチスペース中のＰＤＣＣＨ候補者の数及びそれらのＣＣＥ集約レベルを構成し、ユーザデバイスに明示的に信号を送信して通知することもできる。ＣＣＥ集約レベルは、ＰＤＣＣＨを送信する複数のＣＣＥである。基地局は、異なるＣＣＥ集約レベルで、１、２、４及び８  ＣＣＥなどの異なるＰＤＣＣＨを送信することができる。例えば、集約レベルが１であるとき、基地局１２０は、図３中のＣＣＥ  ３１１を介して１つのＰＤＣＣＨを送信することができる。集約レベルが２であるとき、基地局１２０は、ＣＣＥ  ３１１及び３１２の両方を介して１つのＰＤＣＣＨを送信することができる。ＣＣＥ集約レベルは、例えば、チャネル条件、変調スキーム及びＰＤＣＣＨのペイロードサイズに従って判定されることができる。
【００３２】
従って、ユーザデバイスは、制御領域の持続時間内にＰＤＣＣＨ  ＣＯＲＥＳＥＴでのＰＤＣＣＨを検出するだけでよい場合がある。ユーザデバイスは、瞬時のＰＤＣＣＨ持続時間内にない他の構成のＰＤＣＣＨ  ＣＯＲＥＳＥＴを検出しない場合がる。言い換えれば、ユーザデバイスは、減少した数のＣＣＥをサーチするだけでよい場合がある。その結果、ＰＤＣＣＨの複雑なブラインド検出が回避または削減される。
【００３３】
図５は、本出願の実施例に係る無線通信システムにおいて制御チャネルを検出するための例示的な方法５００の模式図である。方法５００は、制御領域の持続時間を取得するステップ５１０と、第１の制御リソースセットが当該持続時間内にあるかどうかを判定するステップ５２０と、そして第１の制御リソースセットが当該持続時間内にあると判定したことに応じて、第１の制御リソースセット内で制御チャネルを検出するステップ５３０とを含む。いくつかの実施例において、方法５００は、第２の制御リソースセットが当該持続時間内にあるかどうかを判定するステップ５６０と、また第２の制御リソースセットが当該持続時間内にあると決定したことに応答して、第２の制御リソースセットで制御チャネルを検出するステップ５７０とをさらに含む。
【００３４】
ステップ５１０は、制御領域の持続時間を取得することを含む。例えば、ユーザデバイス１４０は、基地局１２０から持続時間、即ち、ＰＤＣＣＨ伝送に使用されるＯＦＤＭシンボルの数を受信することができる。ユーザデバイス１４０は、ステップ５１０でユーザデバイス１４０向けの制御領域の持続時間を取得することができる。例えば、ユーザデバイス１４０は、その前のＰＤＣＣＨから図４の瞬時のＰＤＣＣＨ持続時間４７０を周期的に受信することができる。任意選択に、ユーザデバイス１４０は、ブロードキャストシステム情報から制御領域の持続時間を取得することができる。例えば、ユーザデバイス１４０は、基地局１２０によって送信されたブロードキャストチャネルから瞬時のＰＤＣＣＨ持続時間４７０を受信することができる。
【００３５】
ステップ５２０は、制御リソースセットが当該持続時間内にあるかどうかを判定することを含む。例えば、ユーザデバイス１４０は、図４の瞬時のＰＤＣＣＨ持続時間４７０を２つのシンボルとして獲得することができる。ユーザデバイス１４０が図４のＰＤＣＣＨ  ＣＯＲＥＳＥＴ  ４６２で構成された場合、ユーザデバイス１４０は、そのＰＤＣＣＨ  ＣＯＲＥＳＥＴ  ４６２が瞬時のＰＤＣＣＨ持続時間４７０内にあると判定することができる。
【００３６】
ステップ５３０は、制御リソースセットが持続時間内にあると判定したことに応じて、第１の制御リソースセット内で制御チャネルを検出することを含む。例えば、ユーザデバイス１４０は、ステップ５２０で、その構成されたＰＤＣＣＨ  ＣＯＲＥＳＥＴ  ４６２が瞬時のＰＤＣＣＨ持続時間４７０内にあると判定することができる。そのＰＤＣＣＨ  ＣＯＲＥＳＥＴ  ４６２が瞬時のＰＤＣＣＨ持続時間４７０内にあると判定したことに応じて、ユーザデバイス１４０はＰＤＣＣＨ候補４５１及び４５２でそのＰＤＣＣＨを検出することができる。
【００３７】
ステップ５６０は、別の制御リソースセットが当該持続時間内にあるかどうかを判定することを含む。例えば、ユーザデバイス１４０がＰＤＣＣＨ  ＣＯＲＥＳＥＴ  ４６１及び４６３で構成された場合、ユーザデバイス１４０は、瞬時のＰＤＣＣＨ持続時間を３つのシンボルとして獲得することができる。ＰＤＣＣＨ  ＣＯＲＥＳＥＴ  ４６１が瞬時のＰＤＣＣＨ持続時間内にあると判定した後、ユーザデバイス１４０は、ステップ５６０で、ＰＤＣＣＨ  ＣＯＲＥＳＥＴ  ４６３も瞬時のＰＤＣＣＨ持続時間内にあると判定することができる。
【００３８】
ステップ５７０は、別の制御リソースセットが当該持続時間内にあると判定したことに応じて、別の制御リソースセットで制御チャネルを検出することを含む。例えば、ＰＤＣＣＨ  ＣＯＲＥＳＥＴ  ４６１が瞬時のＰＤＣＣＨ持続時間内にあると判定した後、ユーザデバイス１４０は、そのＰＤＣＣＨ  ＣＯＲＥＳＥＴ  ４６３が瞬時のＰＤＣＣＨ持続時間内にあると判定することができる。その第２の構成のＰＤＣＣＨ  ＣＯＲＥＳＥＴ  ４６３が瞬時のＰＤＣＣＨ持続時間内にあると判定したことに応じて、ユーザデバイス１４０はステップ５７０で、ＯＦＤＭシンボル４３３上のＰＤＣＣＨ候補４４２でそのＰＤＣＣＨを検出することができる。
【００３９】
いくつかの実施例において、方法５００は、制御リソースセットが持続時間内にないと判定したことに応じて、第１の制御リソースセット内で制御チャネルを検出しないことを含むことができる。例えば、ユーザデバイス１６０がＰＤＣＣＨ  ＣＯＲＥＳＥＴ  ４６２で構成された場合、ユーザデバイス１６０は瞬時のＰＤＣＣＨ持続時間を１つのシンボルとして獲得することができる。ＰＤＣＣＨ  ＣＯＲＥＳＥＴ  ４６２が瞬時のＰＤＣＣＨ持続時間内にないと判定したことに応じて、ユーザデバイス１６０は、ＰＤＣＣＨ  ＣＯＲＥＳＥＴ  ４６２中のＰＤＣＣＨ候補４５１及び４５２でそのＰＤＣＣＨを検出しないことができる。
【００４０】
いくつかの実施例において、方法５００は、制御リソースセットが持続時間内に部分的にあると判定したことに応じて、第１の制御リソースセット内で制御チャネルを検出することを含むことができる。例えば、ユーザデバイス１６０は、ＯＦＤＭシンボル４３１及び４３２の両方がＰＤＣＣＨ  ＣＯＲＥＳＥＴで構成された場合、ユーザデバイス１６０は瞬時のＰＤＣＣＨ持続時間を１つのシンボルとして獲得することができる。ＰＤＣＣＨ  ＣＯＲＥＳＥＴ部分が瞬時のＰＤＣＣＨ時間内持続時間にあると判定したことに応じて、ユーザデバイス１６０は、ＰＤＣＣＨ  ＣＯＲＥＳＥＴ中のＰＤＣＣＨを検出することができる。
【００４１】
いくつかの実施例において、方法５００は、制御リソースセットが持続時間内に部分的にあると判定したことに応じて、第１の制御リソースセット内で制御チャネルを検出しないことを含むことができる。例えば、ユーザデバイス１６０は、ＯＦＤＭシンボル４３１及び４３２の両方がＰＤＣＣＨ  ＣＯＲＥＳＥＴで構成された場合、ユーザデバイス１６０は瞬時のＰＤＣＣＨ持続時間を１つのシンボルとして獲得することができる。ＰＤＣＣＨ  ＣＯＲＥＳＥＴ部分が瞬時のＰＤＣＣＨ持続時間内にあると判定したことに応じて、ユーザデバイス１６０は構成されたＰＤＣＣＨ  ＣＯＲＥＳＥＴ中のＰＤＣＣＨを検出しないことができる。
【００４２】
いくつかの実施例において、ステップ５１０で制御領域の持続時間を取得することは、タイムスロットまたはスケジューリング時刻の第１のシンボルで制御領域の持続時間を受信することを含むことができる。例えば、図４のＯＦＤＭシンボル４３１がタイムスロットまたはスケジューリング時刻の第１のシンボルである場合、ユーザデバイス１４０はＯＦＤＭシンボル４３１の瞬時のＰＤＣＣＨ持続時間４７０を受信してもよい。
【００４３】
いくつかの実施例において、ステップ５１０で制御領域の持続時間を取得することは、制御領域の持続時間を周期的に受信することを含むことができる。例えば、ユーザデバイス１４０は、１００ミリ秒（ｍｓ）ごとに基地局１２０から瞬時のＰＤＣＣＨ持続時間４７０の更新を周期的に受信することができる。
【００４４】
いくつかの実施例において、ステップ５１０で制御領域の持続時間を取得することは、制御領域の持続時間を準静的に受信することを含むことができる。例えば、ユーザデバイス１４０は、基地局１２０によって準静的に送信される瞬時のＰＤＣＣＨ持続時間４７０を受信することができる。瞬時のＰＤＣＣＨ持続時間を更新する必要がある場合、基地局１２０は、例えば、瞬時のＰＤＣＣＨ持続時間を含む無線リソース制御（ＲＲＣ）構成信号を送信することができる。従って、ユーザデバイス１４０は、ＲＲＣ構成信号を通じて更新された瞬時のＰＤＣＣＨ持続時間を受信することができる。ユーザデバイス１４０は、別の更新された瞬時のＰＤＣＣＨ持続時間が受信されるまで、現在の瞬時のＰＤＣＣＨ持続時間をその瞬時のＰＤＣＣＨ持続時間として使用し続けることができる。
【００４５】
いくつかの実施例において、ステップ５１０で制御領域の持続時間を取得することは、デフォルトの持続時間に基づいて、制御領域の持続時間を取得することを含むことができる。例えば、ユーザデバイス１４０は、デフォルトの瞬時のＰＤＣＣＨ持続時間を３つのＯＦＤＭシンボルとして想定してもよい。各スケジューリング時刻の前に、ユーザデバイス１４０は、デフォルトの瞬時のＰＤＣＣＨ持続時間を使用して、その構成されたＰＤＣＣＨ  ＣＯＲＥＳＥＴと比較することができる。いくつかの実施例において、ユーザデバイス１４０は、そのシステム帯域幅または周波数に基づいて、デフォルトの瞬時のＰＤＣＣＨ持続時間を取得することができる。例えば、ユーザデバイス１４０が２０ＭＨｚまたはその以下の周波数のみをサポートする場合、ユーザデバイス１４０は、３つのＯＦＤＭシンボルをそのデフォルトの瞬時のＰＤＣＣＨ持続時間として使用することができる。
【００４６】
いくつかの実施例において、ステップ５１０で制御領域の持続時間を取得することは、以前の持続時間を使用して制御領域の持続時間を取得することを含むことができる。例えば、ユーザデバイス１４０は、各タイムスロットの第１のＯＦＤＭシンボルで瞬時のＰＤＣＣＨ持続時間を受信してもよい。ユーザデバイス１４０が特定タイムスロットの第１のＯＦＤＭシンボルでいずれの瞬時のＰＤＣＣＨ持続時間も受信しなかった場合、ユーザデバイス１４０は前の瞬時のＰＤＣＣＨ持続時間を再利用してもよい。
【００４７】
いくつかの実施例において、ステップ５１０で制御領域の持続時間を取得することは、セルの制御領域全体に基づいて、制御領域の持続時間を取得することを含むことができる。例えば、信号でユーザデバイスの複数のＰＤＣＣＨ  ＣＯＲＥＳＥＴを基地局１２０が信号でユーザデバイスの複数のＰＤＣＣＨ  ＣＯＲＥＳＥＴを通知する場合、ユーザデバイス１４０は、瞬時のＰＤＣＣＨ持続時間が基地局１２０によって信号を送信して通知されるすべてのＰＤＣＣＨ  ＣＯＲＥＳＥＴをカバーするＯＦＤＭシンボルを含むと想定してもよい。
【００４８】
いくつかの実施例において、１つ以上のシンボルで制御リソースセットを構成し得る。例えば、図３に示されたように、基地局１２０は、２つのＯＦＤＭシンボル３３２及び３３３でＰＤＣＣＨ  ＣＯＲＥＳＥＴ  ３６２を構成することができる。
【００４９】
いくつかの実施例において、１つ以上のシンボルで第１の制御リソースセットを構成し、第１の制御リソースセットに対して構成されたシンボルとは異なる１つ以上のシンボルで第２の制御リソースセットを構成することができる。例えば、図３に示されたように、基地局１２０は、それぞれＯＦＤＭシンボル３３１でＰＤＣＣＨ  ＣＯＲＥＳＥＴ  ３６１を構成し、シンボル３３２及び３３３でＰＤＣＣＨ  ＣＯＲＥＳＥＴ  ３６２を構成することができる。ＯＦＤＭシンボル３３１は、ＯＦＤＭシンボル３３２及び３３３と重複しない。
【００５０】
いくつかの実施例において、少なくとも１つの共有シンボルで第１の制御リソースセット及び第２の制御リソースセットを構成することができる。例えば、基地局１２０は、ＯＦＤＭの２つのシンボル＃１及び＃２でＰＤＣＣＨ  ＣＯＲＥＳＥＴを構成し、２つのＯＦＤＭシンボル＃２及び＃３で別のＰＤＣＣＨ  ＣＯＲＥＳＥＴを構成することができる。従って、２つのＰＤＣＣＨ  ＣＯＲＥＳＥＴが共通ＯＦＤＭシンボル＃２で構成される。
【００５１】
いくつかの実施例において、第１のビームで第１の制御リソースセットを送信することができ、第２のビームで第２の制御リソースセットを送信することができる。例えば、図４の基地局１２０は、それぞれビーム４１０中のＰＤＣＣＨ  ＣＯＲＥＳＥＴ  ４６１でＰＤＣＣＨを送信し、ビーム２２０中のＰＤＣＣＨ  ＣＯＲＥＳＥＴ  ４６２で別のＰＤＣＣＨを送信することができる。
【００５２】
いくつかの実施例において、第１の制御リソースセットは複数のリソース要素（ＲＥ）を含み、周波数優先マッピング、時間優先マッピングまたはそれらの組み合わせに従って、ＲＥの少なくとも一部で制御チャネルを送信することができる。図３では、例えば、基地局１２０は、ＰＤＣＣＨ候補３５１及び３５２を含むＰＤＣＣＨ  ＣＯＲＥＳＥＴ  ３６２を構成することができる。ＰＤＣＣＨ候補３５１及び３５２は、それぞれ４つのＲＥＧを含み、したがって複数のＲＥを含む。言い換えれば、ＰＤＣＣＨ  ＣＯＲＥＳＥＴ  ３６２は複数のＲＥを含むことができる。
【００５３】
基地局１２０が、例えばＰＤＣＣＨ候補３５１でＰＤＣＣＨを送信するとき、ＰＤＣＣＨ候補３５１の４つのＲＥＧ＃１、＃２、＃３及び＃４は、時間優先マッピングによってＰＤＣＣＨを搬送するために使用される。図３に示されたように、まず、ＰＤＣＣＨ候補３５１のＲＥＧ＃１及び＃２がＯＦＤＭシンボル３３２及び３３３にまたがってマッピングされてから、ＰＤＣＣＨ  ３５１のＲＥＧ＃３及び＃４がマッピングされ、即ち、時間優先マッピングである。
【００５４】
任意選択に、基地局１２０は、例えばＰＤＣＣＨ候補３５２でＰＤＣＣＨを送信することができ、ＰＤＣＣＨ候補３５２の４つのＲＥＧ＃１、＃２、＃３及び＃４は、周波数優先マッピングによってＰＤＣＣＨを搬送するために使用される。図３に示されたように、ＰＤＣＣＨ候補３５２のＲＥＧ＃１及び＃２は、まず、ＯＦＤＭシンボル３３２で周波数領域中のサブキャリアにまたがってマッピングされてから、ＰＤＣＣＨ  ３５２のＲＥＧ＃３及び＃４がＯＦＤＭシンボル３３３にまたがってマッピングされ、即ち、周波数優先マッピングである。
【００５５】
別のインスタンスにおいて、基地局１２０は、ＰＤＣＣＨ候補３５１及び３５２でＰＤＣＣＨを送信することができる。前記２つのインスタンスで説明したＰＤＣＣＨ候補３５１及び３５２に関する時間優先及び周波数優先マッピングに従って、ＰＤＣＣＨ候補３５１及び３５２の両方で送信されたＰＤＣＣＨは時間優先及び周波数優先マッピングによって組み合わせで送信される。
【００５６】
いくつかの実施例において、ステップ５３０で制御チャネルを検出することは、制御チャネルがＲＥのどの部分で送信されるかを検出することを含むことができる。例えば、ユーザデバイス１６０がＰＤＣＣＨ  ＣＯＲＥＳＥＴ  ４６２で構成された場合、基地局１２０は、ＰＤＣＣＨ候補４５１または４５２でＰＤＣＣＨを送信することができる。ユーザデバイス１６０は、ＰＤＣＣＨ候補４５１またはＰＤＣＣＨ候補４５２のＲＥＧでそのＰＤＣＣＨを検出することができる。
【００５７】
図６は、本出願のある実施例に係る無線通信システムにおいて制御チャネルを送信するための例示的な方法６００の模式図である。方法６００は、制御領域の持続時間を送信するステップ６１０と、第１の制御リソースセットが当該持続時間内にあるかどうかを判定するステップ６２０と、及び第１の制御リソースセットが当該持続時間内にあると判定したことに応じて、第１の制御リソースセットで制御チャネルを送信するステップ６３０とを含む。いくつかの実施例において、方法６００は、第２の制御リソースセットが当該持続時間内にあるかどうかを判定するステップ６６０と、及び第２の制御リソースセットが当該持続時間内にあると判定したことに応じて、第２の制御リソースセットで制御チャネルを送信するステップ６７０とをさらに含むことができる。
【００５８】
ステップ６１０は、制御領域の持続時間を送信することを含む。基地局１２０は、カバレッジエリア１８０で、すべてのユーザデバイス、１セットのユーザデバイスまたは１つのユーザデバイスの制御領域に対する持続時間を送信することができる。例えば、基地局１２０は、ユーザデバイス１４０のＰＤＣＣＨで図４の瞬時のＰＤＣＣＨ持続時間４７０を周期的に送信することができる。
【００５９】
任意選択に、基地局１２０は、カバレッジエリア１８０中のすべてのユーザデバイスの制御領域の持続時間を含むシステム情報をブロードキャストすることができる。例えば、基地局１２０は、ブロードキャストチャネル（ＢＣＨ）で瞬時のＰＤＣＣＨ持続時間４７０を送信することができる。
【００６０】
ステップ６２０は、第１の制御リソースセットが当該持続時間内にあるかどうかを判定することを含む。例えば、基地局１２０は、２つのシンボルの瞬時のＰＤＣＣＨ持続時間４７０をすべてのユーザデバイス、１セットのユーザデバイスまたはユーザデバイスに送信することができる。これらの構成中のいずれの構成中の基地局１２０は、ユーザデバイス１４０が２つのシンボルの瞬時のＰＤＣＣＨ持続時間を有することを知ってもよい。
【００６１】
なお、基地局１２０は、ユーザデバイスに対して１つ以上のＰＤＣＣＨ  ＣＯＲＥＳＥＴを構成することができる。例えば、基地局１２０は、ユーザデバイス１４０に対して図４のＰＤＣＣＨ  ＣＯＲＥＳＥＴ  ４６２を構成することができる。従って、基地局１２０が、ユーザデバイス１４０にＰＤＣＣＨを送信することを意図するとき、基地局１２０は、ユーザデバイス１４０のＰＤＣＣＨ  ＣＯＲＥＳＥＴ  ４６２が瞬時のＰＤＣＣＨ持続時間４７０内にあると判定することができる。
【００６２】
ステップ６３０は、第１の制御リソースセットが当該持続時間内にあると判定したことに応じて、第１の制御リソースセットで制御チャネルを送信することを含む。例えば、基地局１２０は、ユーザデバイス１４０のＰＤＣＣＨ  ＣＯＲＥＳＥＴ  ４６２が、ユーザデバイス１４０によって獲得された瞬時のＰＤＣＣＨ持続時間４７０内にあると判定することができる。ユーザデバイス１４０のＰＤＣＣＨ  ＣＯＲＥＳＥＴ  ４６２が瞬時のＰＤＣＣＨ持続時間内にあると判定したことに応じて、基地局１２０はＰＤＣＣＨ候補４５１及び/または４５２でＰＤＣＣＨをユーザデバイス１４０に送信することができる。
【００６３】
ステップ６６０は、第２の制御リソースセットが当該持続時間内にあるかどうかを判定することを含む。例えば、基地局１２０は、ユーザデバイス１４０に３つのシンボルの瞬時のＰＤＣＣＨ持続時間を送信することができる。基地局１２０は、ユーザデバイス１４０に対して図４のＰＤＣＣＨ  ＣＯＲＥＳＥＴ  ４６１及び４６３を構成することもできる。ＰＤＣＣＨ  ＣＯＲＥＳＥＴ  ４６１がＰＤＣＣＨ持続時間内にあると判定した後、基地局１２０は、ＰＤＣＣＨ  ＣＯＲＥＳＥＴ  ４６３も瞬時のＰＤＣＣＨ持続時間内にあると判定することができる。
【００６４】
ステップ６７０は、第２の制御リソースセットが当該持続時間内にあると判定したことに応じて、第２の制御リソースセットで制御チャネルを送信することを含む。例えば、基地局１２０は、ユーザデバイス１４０のＰＤＣＣＨ  ＣＯＲＥＳＥＴ  ４６３が３つのシンボルの瞬時のＰＤＣＣＨ持続時間内にあると判定することができる。第２の構成のＰＤＣＣＨ  ＣＯＲＥＳＥＴ  ４６３が瞬時のＰＤＣＣＨ持続時間内にあると判定したことに応じて、基地局１２０は、ＯＦＤＭシンボル４３３上のＰＤＣＣＨ候補４４２でＰＤＣＣＨをユーザデバイス１４０に送信することができる。
【００６５】
いくつかの実施例において、方法６００は、第１の制御リソースセットが持続時間内にないと判定したことに応じて、第１の制御リソースセットで制御チャネルを送信しないことを含むことができる。例えば、基地局１２０は、ユーザデバイス１６０に１つのシンボルの瞬時のＰＤＣＣＨ持続時間を送信することができる。基地局１２０は、ユーザデバイス１６０に対してＰＤＣＣＨ  ＣＯＲＥＳＥＴ  ４６２を構成することもできる。ＰＤＣＣＨ  ＣＯＲＥＳＥＴ  ４６２が瞬時のＰＤＣＣＨ持続時間内にないと判定したことに応じて、基地局１２０は、ＰＤＣＣＨ  ＣＯＲＥＳＥＴ  ４６２中のＰＤＣＣＨ候補４５１及び４５２でユーザデバイス１６０に対していずれのＰＤＣＣＨを送信しないことができる。
【００６６】
いくつかの実施例において、方法６００は、第１の制御リソースセットが持続時間内に部分的にあると判定したことに応じて、第１の制御リソースセットで制御チャネルを送信することを含むことができる。例えば、基地局１２０は、ユーザデバイス１６０に瞬時ＰＤＣＣＨ持続時間を１つのシンボルとして送信することができる。基地局１２０は、ＯＦＤＭシンボル４３１及び４３２で、ユーザデバイス１６０に対してＰＤＣＣＨ  ＣＯＲＥＳＥＴを構成することもできる。ＰＤＣＣＨ  ＣＯＲＥＳＥＴ部分が瞬時のＰＤＣＣＨ期間内（即ち、ＯＦＤＭシンボル４３１）にあると判定したことに応じて、基地局１２０は、ユーザデバイス１６０のＰＤＣＣＨ  ＣＯＲＥＳＥＴでＰＤＣＣＨを送信することができる。
【００６７】
いくつかの実施例において、方法６００は、第１の制御リソースセット持続時間内に部分的にあると判定したことに応じて、第１の制御リソースセットで制御チャネルを送信しないことを含む。例えば、基地局１２０は、ユーザデバイス１６０に瞬時ＰＤＣＣＨ持続時間を１つのシンボルとして送信することができる。基地局１２０は、ＯＦＤＭシンボル４３１及び４３２で、ユーザデバイス１６０に対してＰＤＣＣＨ  ＣＯＲＥＳＥＴを構成することもできる。ＰＤＣＣＨ  ＣＯＲＥＳＥＴ部分が瞬時のＰＤＣＣＨ期間内（即ち、ＯＦＤＭシンボル４３１）にあると判定したことに応じて、基地局１２０は、構成されたＰＤＣＣＨ  ＣＯＲＥＳＥＴでユーザデバイス１６０にいずれのＰＤＣＣＨも送信しないことができる。
【００６８】
いくつかの実施例において、ステップ６１０で制御領域の持続時間を送信することは、タイムスロットまたはスケジューリング時刻の第１のシンボルで制御領域の持続時間を送信することを含む。例えば、基地局１２０は、ＯＦＤＭシンボル４３１中の瞬時のＰＤＣＣＨ持続時間４７０をユーザデバイス１４０に送信することができる。
【００６９】
いくつかの実施例において、ステップ６１０で制御領域の持続時間を送信することは、制御領域の持続時間を周期的に送信することを含むことができる。例えば、基地局１２０は、１００ｍｓごとにユーザデバイス１４０に更新された瞬時のＰＤＣＣＨ持続時間４７０を周期的に送信することができる。
【００７０】
いくつかの実施例において、ステップ６１０で制御領域の持続時間を送信することは、制御領域の持続時間を準静的に受信することを含むことができる。例えば、基地局１２０は、ユーザデバイス１４０に瞬時のＰＤＣＣＨ持続時間４７０を準静的に送信することができる。瞬時のＰＤＣＣＨ持続時間を更新する必要があるとき、基地局１２０は、例えば、瞬時のＰＤＣＣＨ持続時間４７０を含む無線リソース制御（ＲＲＣ）構成信号を送信することができる。
【００７１】
いくつかの実施例において、ステップ６１０で制御領域の持続時間を送信することは、セルの制御領域全体に基づいて、制御領域の持続時間を送信することを含むことができる。例えば、基地局１２０は、ＢＣＨでその瞬時のＰＤＣＣＨ持続時間をブロードキャストすることができる。すべてのユーザデバイスは、基地局１２０の制御領域全体として、基地局１２０の瞬時のＰＤＣＣＨ持続時間を受信することができる。カバレッジエリア１８０中のいずれのユーザデバイスは、基地局１２０の制御領域全体のサイズを獲得するためにＢＣＨを受信することができる。
【００７２】
いくつかの実施例において、基地局１２０は、信号でユーザデバイスの複数のＰＤＣＣＨ  ＣＯＲＥＳＥＴを通知することができる。基地局１２０は、制御領域全体として、ユーザデバイスをカバーするすべてのこれらのＰＤＣＣＨ  ＣＯＲＥＳＥＴの瞬時のＰＤＣＣＨ持続時間を使用することができる。
【００７３】
いくつかの実施例において、基地局１２０は、１つ以上のシンボルで第１の制御リソースセットを構成することができる。図３では、例えば、基地局１２０は、ＯＦＤＭシンボル３３２及び３３３でＰＤＣＣＨ  ＣＯＲＥＳＥＴ  ３６２を構成することができる。
【００７４】
いくつかの実施例において、１つ以上のシンボルで第１の制御リソースセットを構成し、第１の制御リソースセットに対して構成されたシンボルと異なる１つ以上のシンボルで第２の制御リソースセットを構成することができる。例えば、図３に示されたように、基地局１２０は、それぞれＯＦＤＭシンボル３３１でＰＤＣＣＨ  ＣＯＲＥＳＥＴ  ３６１を構成し、シンボル３３２及び３３３でＰＤＣＣＨ  ＣＯＲＥＳＥＴ  ３６２を割り当てる。ＯＦＤＭシンボル３３１は、ＯＦＤＭシンボル３３２及び３３３と重複しない。
【００７５】
いくつかの実施例において、少なくとも１つの共有シンボルで第１の制御リソースセット及び第２の制御リソースセットを構成することができる。例えば、基地局１２０は、ＯＦＤＭの２つのシンボル＃１及び＃２でＰＤＣＣＨ  ＣＯＲＥＳＥＴを構成し、２つのＯＦＤＭシンボル＃２及び＃３で別のＰＤＣＣＨ  ＣＯＲＥＳＥＴを構成することができる。従って、２つのＰＤＣＣＨ  ＣＯＲＥＳＥＴが共通のＯＦＤＭシンボル＃２で構成される。
【００７６】
いくつかの実施例において、第１のビームで第１の制御リソースセットを送信することができ、第２のビームで第２の制御リソースセットを送信することができる。例えば、図４の基地局１２０は、それぞれビーム４１０で、ＰＤＣＣＨ  ＣＯＲＥＳＥＴ  ４６１上のＰＤＣＣＨを送信し、ビーム４２０で、ＰＤＣＣＨ  ＣＯＲＥＳＥＴ  ４６２上の別のＰＤＣＣＨを送信することができる。
【００７７】
いくつかの実施例において、第１の制御リソースセットは複数のリソース要素を含み、周波数優先マッピング、時間優先マッピングまたはそれらの組み合わせに従って、ＲＥの少なくとも一部で制御チャネルを送信することができる。図３では、例えば、基地局１２０は、ＰＤＣＣＨ候補３５１及び３５２を含むＰＤＣＣＨ  ＣＯＲＥＳＥＴ  ３６２を構成することができる。ＰＤＣＣＨ候補３５１及び３５２は、それぞれ４つのＲＥＧを含み、従ってそれぞれ複数のＲＥを含む。言い換えれば、ＰＤＣＣＨ  ＣＯＲＥＳＥＴ  ３６２は複数のＲＥを含むことができる。
【００７８】
基地局１２０が、例えばＰＤＣＣＨ候補３５１でＰＤＣＣＨを送信するとき、ＰＤＣＣＨ候補３５１の４つのＲＥＧ＃１、＃２、＃３及び＃４は時間優先マッピングによってＰＤＣＣＨを搬送するために使用される。図３に示されたように、まず、基地局１２０は、ＯＦＤＭシンボル３３２及び３３３にまたがってＰＤＣＣＨ候補３５１のＲＥＧ＃１及び＃２をマッピングしてから、ＰＤＣＣＨ  ３５１のＲＥＧ＃３及び＃４がマッピングされ、即ち、時間優先マッピングである。
【００７９】
任意選択に、基地局１２０は、例えばＰＤＣＣＨ候補３５２でＰＤＣＣＨを送信することができ、ＰＤＣＣＨ候補３５２の４つのＲＥＧ＃１、＃２、＃３及び＃４は、周波数優先マッピングによってＰＤＣＣＨに搬送するために使用される。図３に示されたように、基地局１２０は、まず、ＯＦＤＭシンボル３３２に周波数領域中のサブキャリアにまたがってＰＤＣＣＨ候補３５２のＲＥＧ＃１及び＃２にマッピングされてから、ＯＦＤＭシンボル３３３にまたがってＰＤＣＣＨ  ３５２のＲＥＧ＃３及び＃４にマッピングされ、即ち、周波数優先マッピングである。
【００８０】
別のインスタンスにおいて、基地局１２０は、ＰＤＣＣＨ候補３５１及び３５２でＰＤＣＣＨを送信することができる。前記２つのインスタンスで説明したＰＤＣＣＨ候補３５１及び３５２に関する時間優先及び周波数優先マッピングに従って、基地局１２０は、時間優先及び周波数優先マッピングの組み合わせによってＰＤＣＣＨ候補３５１及び３５２でＰＤＣＣＨを送信することができる。
【００８１】
いくつかの実施例において、ステップ６３０で、制御チャネルを送信することは、ＲＥの一部で制御チャネルを送信することを含むことができる。例えば、ユーザデバイス１６０がＰＤＣＣＨ  ＣＯＲＥＳＥＴ  ４６２で構成される場合、基地局１２０は、ＰＤＣＣＨ候補４５１または４５２でユーザデバイス１６０にＰＤＣＣＨを送信することができる。基地局１２０は、ＰＤＣＣＨ候補４５１のＲＥＧまたはＰＤＣＣＨ候補４５２のＲＥＧでＰＤＣＣＨを送信することができる。
【００８２】
図７は、本出願のある実施例に係る無線通信システムにおいて制御チャネルを検出するための例示的なユーザデバイス７００の模式図である。ユーザデバイス７００は、メモリ７１０と、プロセッサ７２０と、ストレージ７３０と、Ｉ／Ｏインターフェース７４０及び通信ユニット７５０を含むことができる。無線通信システムにおける制御チャネルを検出するために、ユーザデバイス７００の１つ以上のコンポーネントを含むことができる。これらのユニットは、相互にデータを伝送し、または命令を送受信するように構成されることができる。
【００８３】
プロセッサ７２０は、いずれの適切なタイプの汎用または専用マイクロプロセッサ、デジタル信号プロセッサまたはマイクロコントローラを含むことができる。例えば、プロセッサ７２０は、基地局１２０から持続時間、即ち、ＰＤＣＣＨ伝送に使用されるＯＦＤＭシンボルの数を受信するように構成されることができる。いくつかの実施例において、プロセッサ７２０は、所定のユーザデバイスのために制御領域の持続時間を取得するように構成されることができる。例えば、プロセッサ７２０は、ユーザデバイス７００の前のＰＤＣＣＨから図４の瞬時のＰＤＣＣＨ持続時間４７０を周期的に受信するように構成されることができる。任意選択に、プロセッサ７２０は、ブロードキャストシステム情報から制御領域の持続時間を取得するように構成されることができる。例えば、プロセッサ７２０は、基地局１２０によって送信されたブロードキャストチャネルから瞬時のＰＤＣＣＨ持続時間４７０を受信するように構成されることができる。
【００８４】
プロセッサ７２０は、さらに制御リソースセットが持続時間内にあるかどうかを判定するように構成されることができる。例えば、プロセッサ７２０は、図４の瞬時のＰＤＣＣＨ持続時間４７０を２つのシンボルとして獲得するように構成されることができる。ユーザデバイス７００が図４のＰＤＣＣＨ  ＣＯＲＥＳＥＴ  ４６２で構成される場合、プロセッサ７２０は、ユーザデバイス７００のＰＤＣＣＨ  ＣＯＲＥＳＥＴ  ４６２が瞬時のＰＤＣＣＨ持続時間４７０内にあると判定するように構成されることができる。
【００８５】
プロセッサ７２０は、さらに、制御リソースセットが当該持続時間内にあると判定したことに応じて、第１の制御リソースセット内で制御チャネルを検出するように構成されることができる。例えば、プロセッサ７２０は、ユーザデバイス７００の構成されたＰＤＣＣＨ  ＣＯＲＥＳＥＴ  ４６２が瞬時のＰＤＣＣＨ持続時間４７０内にあると判定するように構成されることができる。そのＰＤＣＣＨ  ＣＯＲＥＳＥＴ  ４６２が瞬時のＰＤＣＣＨ持続時間４７０内にあると判定したことに応じて、プロセッサ７２０は、そのＰＤＣＣＨ候補４５１及び４５２でＰＤＣＣＨを検出するように構成されることができる。
【００８６】
いくつかの実施例において、プロセッサ７２０は、別の制御リソースセットが当該持続時間内にあるかどうかを判定するように構成されることができる。例えば、ユーザデバイス７００がＰＤＣＣＨ  ＣＯＲＥＳＥＴ  ４６１及び４６３で構成される場合、ユーザデバイス７００は瞬時のＰＤＣＣＨ持続時間を３つのシンボルとして獲得することができる。ＰＤＣＣＨ  ＣＯＲＥＳＥＴ  ４６１が瞬時のＰＤＣＣＨ持続時間内にあると判定した後、プロセッサ７２０は、ＰＤＣＣＨ  ＣＯＲＥＳＥＴ  ４６３も瞬時のＰＤＣＣＨ持続時間内にあると判定するように構成されることができる。
【００８７】
プロセッサ７２０は、別の制御リソースセットが当該持続時間内にあると判定したことに応じて、別の制御リソースセットで制御チャネルを検出するように構成されることができる。例えば、プロセッサ７２０は、ＰＤＣＣＨ  ＣＯＲＥＳＥＴ  ４６１が瞬時のＰＤＣＣＨ持続時間内にあると判定した後、そのＰＤＣＣＨ  ＣＯＲＥＳＥＴ  ４６３が瞬時のＰＤＣＣＨ持続時間内にあると判定するように構成されることができる。その第２の構成のＰＤＣＣＨ  ＣＯＲＥＳＥＴ  ４６３が瞬時のＰＤＣＣＨ持続時間内にあると判定したことに応じて、プロセッサ７２０は、ＯＦＤＭシンボル４３３上のＰＤＣＣＨ候補４４２でユーザデバイス７００のＰＤＣＣＨを検出するように構成されることができる。
【００８８】
いくつかの実施例において、プロセッサ７２０は、方法５００について説明した上記のステップのうちの1つを実行するように構成されることができる。
【００８９】
メモリ７１０及びストレージ７３０は、プロセッサ７２０の動作を必要とする可能性があるいずれのタイプの情報を記憶するためのいずれの適切なタイプの大容量ストレージを提供することを含むことができる。メモリ７１０及びストレージ７３０は、揮発性または不揮発性、磁気、半導体、磁気テープ、光学、リムーバブル、非リムーバブルまたは他のタイプのストレージデバイスまたは有形（即ち、非一時的な）コンピュータ読み取り可能な媒体であることができ、読み取り専用メモリ（ＲＯＭ）、フラッシュメモリ、ダイナミックランダムアクセスメモリ（ＲＡＭ）及びスタティックＲＡＭを含むが、これに限定されない。メモリ７１０及び/またはストレージ７３０は、本出願で開示された無線通信システムにおいて制御チャネルを例示的に検出することを実行するために、プロセッサ７２０によって実行される１つ以上のコンピュータプログラムを記憶するように構成されることができる。
【００９０】
メモリ７１０及び/またはストレージ７３０は、プロセッサ７２０によって使用される情報及びデータを記憶するように構成されることもできる。例えば、メモリ７１０及び/またはストレージ７３０は、受信された瞬時のＰＤＣＣＨ持続時間、前の瞬時のＰＤＣＣＨ持続時間、デフォルトの瞬時のＰＤＣＣＨ持続時間及びＰＤＣＣＨ  ＣＯＲＥＳＥＴを記憶するように構成されることができる。
【００９１】
Ｉ／Ｏインターフェース７４０は、ユーザデバイス７００と他の装置との間の通信を実現するように構成されることができる。例えば、Ｉ／Ｏインターフェース７４０は、ユーザデバイス７００のシステムの構成のための別の装置（例えば、コンピュータ）から信号を受信することができる。Ｉ／Ｏインターフェース７４０は、統計データを検出するためのデータを他の装置に出力することもできる。
【００９２】
通信ユニット７５０は、５Ｇの新しい無線システム、ロングタームエボリューション（ＬＴＥ）、高速パケットアクセス（ＨＳＰＡ）、広帯域符号分割多重アクセス（ＷＣＤＭＡ）及び/またはグローバル移動通信システム（ＧＳＭ）などの通信モジュールを含む１つ以上のセルラー通信モジュールを含むことができる。
【００９３】
図８は、本出願のある実施例に係る無線通信システムにおいて制御チャネルを送信するための例示的なネットワーク装置８００の模式図である。ネットワーク装置８００は、メモリ８１０と、プロセッサ８２０と、ストレージ８３０と、Ｉ／Ｏインターフェース８４０及び通信ユニット８５０を含むことができる。無線通信システムにおいて制御チャネルを送信するためのネットワーク装置８００の１つ以上のコンポーネントを含むことができる。これらのユニットは、相互にデータを伝送し、または命令を送受信するように構成されることができる。
【００９４】
プロセッサ８２０は、いずれの適切なタイプの汎用または専用マイクロプロセッサ、デジタル信号プロセッサまたはマイクロコントローラを含むことができる。プロセッサ８２０は、制御領域の持続時間を送信するように構成されることができる。プロセッサ８２０は、カバレッジエリア１８０中のすべてのユーザデバイス、１セットのユーザデバイスまたは１つのユーザデバイスに対して制御領域の持続時間を送信するように構成されることができる。例えば、プロセッサ８２０は、ユーザデバイス１４０のＰＤＣＣＨで図４の瞬時のＰＤＣＣＨ持続時間４７０を周期的に送信するように構成されることができる。
【００９５】
任意選択に、プロセッサ８２０は、カバレッジエリア１８０中のすべてのユーザデバイスの制御領域の持続時間を含むシステム情報をブロードキャストするように構成されることができる。例えば、プロセッサ８２０は、ネットワーク装置８００のブロードキャストチャネル（ＢＣＨ）で瞬時のＰＤＣＣＨ持続時間４７０を送信するように構成されることができる。
【００９６】
プロセッサ８２０は、第１の制御リソースセットが当該持続時間内にあるかどうかを判定するように構成されることもできる。例えば、プロセッサ８２０は、すべてのユーザデバイス、１セットのユーザデバイスまたは１つのユーザデバイスに対して瞬時のＰＤＣＣＨ持続時間４７０を２つのシンボルとして送信するように構成されることができる。これらの構成中のいずれの構成の基地局１２０は、ユーザデバイス１４０が２つのシンボルの瞬時のＰＤＣＣＨ持続時間を有することを知ることができる。
【００９７】
なお、プロセッサ８２０は、ユーザデバイスに対して１つ以上のＰＤＣＣＨ  ＣＯＲＥＳＥＴを構成するように構成されることができる。例えば、プロセッサ８２０は、ユーザデバイス１４０に図４のＰＤＣＣＨ  ＣＯＲＥＳＥＴ  ４６２を構成するように構成されることができる。従って、プロセッサ８２０は、基地局１２０がＰＤＣＣＨをユーザデバイス１４０に送信することを意図する場合、ユーザデバイス１４０のＰＤＣＣＨ  ＣＯＲＥＳＥＴ  ４６２が瞬時のＰＤＣＣＨ持続時間４７０内にあると判定するように構成されることができる。
【００９８】
プロセッサ８２０は、第１の制御リソースセットが当該持続時間内にあると判定したことに応じて、第１の制御リソースセットで制御チャネルを送信するように構成されることもできる。例えば、プロセッサ８２０は、ユーザデバイス１４０のＰＤＣＣＨ  ＣＯＲＥＳＥＴ  ４６２が瞬時のＰＤＣＣＨ持続時間４７０内にあると判定するように構成されることができる。ユーザデバイス１４０のＰＤＣＣＨ  ＣＯＲＥＳＥＴ  ４６２が瞬時のＰＤＣＣＨ持続時間内にあると判定したことに応じて、プロセッサ８２０は、ＰＤＣＣＨ候補４５１及び/または４５２上のＰＤＣＣＨをユーザデバイス１４０に送信するように構成されることができる。
【００９９】
プロセッサ８２０は、第２の制御リソースセットが当該持続時間内にあるかどうかを判定するように構成されることができる。例えば、プロセッサ８２０は、ユーザデバイス１４０に３つのシンボルの瞬時のＰＤＣＣＨ持続時間を送信するように構成されることができる。プロセッサ８２０は、ユーザデバイス１４０に図４のＰＤＣＣＨ  ＣＯＲＥＳＥＴ  ４６１及び４６３を構成するように構成されることもできる。ＰＤＣＣＨ  ＣＯＲＥＳＥＴ  ４６１が瞬時のＰＤＣＣＨ持続時間内にあると判定した後、プロセッサ８２０は、ＰＤＣＣＨ  ＣＯＲＥＳＥＴ  ４６３も瞬時のＰＤＣＣＨ持続時間内にあると判定するように構成されることができる。
【０１００】
プロセッサ８２０は、第２の制御リソースセットが当該持続時間内にあると判定したことに応じて、第２の制御リソースセットで制御チャネルを送信するように構成されることができる。例えば、プロセッサ８２０は、ユーザデバイス１４０のＰＤＣＣＨ  ＣＯＲＥＳＥＴ  ４６３が３つのシンボルの瞬時のＰＤＣＣＨ持続時間内にあると判定するように構成されることができる。第２の構成のＰＤＣＣＨ  ＣＯＲＥＳＥＴ  ４６３が瞬時のＰＤＣＣＨ持続時間内にあると判定したことに応じて、プロセッサ８２０は、ＯＦＤＭシンボル４３３上のＰＤＣＣＨ候補４４２でユーザデバイス１４０にＰＤＣＣＨを送信するように構成されることができる。
【０１０１】
いくつかの実施例において、プロセッサ８２０は、方法６００について説明した上記のステップのうちの1つを実行するように構成されることができる。
【０１０２】
メモリ８１０及びストレージ８３０は、プロセッサ８２０の動作を必要とする可能性があるいずれのタイプの情報を記憶するためのいずれの適切なタイプの大容量ストレージを提供することを含むことができる。メモリ８１０及びストレージ８３０は、揮発性または不揮発性、磁気、半導体、磁気テープ、光学、リムーバブル、非リムーバブルまたは他のタイプのストレージデバイスまたは有形（即ち、非一時的な）コンピュータ読み取り可能な媒体であることができ、読み取り専用メモリ（ＲＯＭ）、フラッシュメモリ、ダイナミックランダムアクセスメモリ（ＲＡＭ）及びスタティックＲＡＭを含むが、これに限定されない。メモリ８１０及び/またはストレージ８３０は、本出願で開示された無線通信システムにおいて制御チャネルを例示的に送信することを実行するために、プロセッサ８２０によって実行される１つ以上のコンピュータプログラムを記憶するように構成されることができる。
【０１０３】
メモリ８１０及び/またはストレージ８３０は、プロセッサ８２０によって使用される情報及びデータを記憶するように構成されることもできる。例えば、メモリ８１０及び/またはストレージ８３０は、システム情報、各ユーザデバイスの瞬時のＰＤＣＣＨ持続時間、前の瞬時のＰＤＣＣＨ持続時間、デフォルトの瞬時のＰＤＣＣＨ持続時間及び各ユーザデバイスのＣＯＲＥＳＥＴを記憶するように構成されることができる。
【０１０４】
Ｉ／Ｏインターフェース８４０は、ネットワーク装置８００と他の装置との間の通信を実現するように構成されることができる。例えば、Ｉ／Ｏインターフェース８４０は、ネットワーク装置８００のシステムの構成にための別の装置（例えば、コンピュータ）から信号を受信することができる。Ｉ／Ｏインターフェース８４０は、他の装置に送信する統計データのデータを出力することもできる。
【０１０５】
通信ユニット８５０は、例えば５Ｇの新しい無線システム、ロングタームエボリューション（ＬＴＥ）、高速パケットアクセス（ＨＳＰＡ）、広帯域符号分割多重アクセス（ＷＣＤＭＡ）及び/またはグローバル移動通信システム（ＧＳＭ）などの通信モジュールを含む１つ以上のセルラー通信モジュールを含むことができる。
【０１０６】
いくつかの態様において、本出願は、実行されると、１つ以上のプロセッサに上記のような方法を実行させる命令を記憶する非一時的なコンピュータ読み取り可能な媒体に関する。コンピュータ読み取り可能な媒体は、揮発性または不揮発性、磁気、半導体、磁気テープ、光学、リムーバブル、非リムーバブルまたは他のタイプのコンピュータ読み取り可能な媒体またはコンピュータ読み取り可能なストレージデバイスを含むことができる。例えば、開示されたように、コンピュータ読み取り可能な媒体は、ストレージデバイスまたはコンピュータ命令が記憶されたメモリモジュールであり得る。いくつかの実施例において、コンピュータ読み取り可能な媒体は、コンピュータ命令が記憶されたディスクまたはフラッシュドライブであり得る。
【０１０７】
本開示は、上記に説明して図面に示した正確な構成に限定されるものではなく、その範囲から逸脱することなく様々な修正および変更を行うことができることを理解されたい。本出願の範囲は、添付の特許請求の範囲によってのみ制限されることを意図する。
【図１】
2020519114.tif 000003
【図２】
2020519114.tif 000004
【図３】
2020519114.tif 000005
【図４】
2020519114.tif 000006
【図５】
2020519114.tif 000007
【図６】
2020519114.tif 000008
【図７】
2020519114.tif 000009
【図８】
2020519114.tif 000010
【国際調査報告】
2020519114.tif 000011
2020519114.tif 000012
2020519114.tif 000013